(57)【特許請求の範囲】
【請求項１】
周波数再利用ネットワーキング方法であって、
分割モジュールが、システムの合計の利用できる帯域を複数のサブ帯域に予め分割するステップと、
割り当てモジュールが、少なくとも２つのセルの割り当てられたサブ帯域には重なる部分が含まれるように、分割した前記サブ帯域を各セルに割り当てるステップとを含み、
前記方法において、分割した前記サブ帯域を各セルに割り当てた後に、
スケジュールモジュールが、占用されるサブ帯域が重なる隣接セルについて、前記隣接セルの負荷のすべてが負荷閾値よりも低い場合、前記隣接セルが重ならない部分の帯域を利用して業務をスケジュールするステップと、
スケジュールモジュールが、いずれかのセルの負荷も負荷閾値よりも低くない場合、当該セルについて、割り当てられたサブ帯域における重ならない部分の帯域を利用して業務をスケジュールする優先レベルが、重なる部分の帯域を利用して業務をスケジュールする優先レベルよりも高いようにするステップとをさらに含む
ことを特徴とする周波数再利用ネットワーキング方法。
【請求項２】
前記割り当てモジュールが、分割した前記サブ帯域を各セルに割り当てるステップは具体的に、
実行サブモジュールが、各サブ帯域間の相関性に基づいて、分割したサブ帯域を各セルに割り当てるステップを含み、
ただし、いずれか２つのサブ帯域の合計の帯域幅に対する前記の２つのサブ帯域における重なる部分の帯域幅の比例が大きいほど、前記２つのサブ帯域の相関性が大きくなる
ことを特徴とする請求項１に記載の周波数再利用ネットワーキング方法。
【請求項３】
前記実行サブモジュールが、各サブ帯域間の相関性に基づいて、分割したサブ帯域を各セルに割り当てるステップは具体的に、
２つのセル間の物理的距離が近いほど、前記２つのセルに割り当てられたサブ帯域間の相関性が小さくなるように、分割した前記サブ帯域を各セルに割り当てるステップを含む
ことを特徴とする請求項２に記載の周波数再利用ネットワーキング方法。
【請求項４】
前記方法において、分割した前記サブ帯域を各セルに割り当てた後に、
隣接セルRB確定モジュールが、サブ帯域を割り当てられたセルのいずれかについて、当該セルの隣接セルに割り当てられたサブ帯域から、隣接セルの物理上り制御チャンネルＰＵＣＣＨにより占用されるリソースブロックＲＢを確定するステップと、
RB選択モジュールが、このセルに割り当てられたサブ帯域から、物理上り共有チャンネルＰＵＳＣＨにより占用されるＲＢを確定し、ＰＵＳＣＨにより占用されるＲＢから、前記ＰＵＣＣＨにより占用されるＲＢと重ならないＲＢを選択し、指示モジュールが、選択したＲＢを利用して当該セルのＰＵＳＣＨを搭載するようにこのセルに指示するステップとをさらに含む
ことを特徴とする請求項１に記載の周波数再利用ネットワーキング方法。
【請求項５】
前記方法において、分割した前記サブ帯域を各セルに割り当てた後に、
隣接セルRB確定モジュールが、サブ帯域を割り当てられたセルのいずれかについて、当該セルの隣接セルに割り当てられたサブ帯域から、隣接セルのＰＵＣＣＨにより占用されるＲＢを確定するステップと、
RB選択モジュールが、当該セルに割り当てられたサブ帯域から、隣接セルのＰＵＣＣＨにより占用されるＲＢと重なるＲＢを確定するステップと、
調整モジュールが、確定した前記の重なるＲＢのスケジュール優先レベルを、当該セルに割り当てられたサブ帯域における他のＲＢのスケジュール優先レベルよりも小さく低減し、或いは、確定した前記の重なるＲＢの送信電力を、当該セルに割り当てられたサブ帯域における他のＲＢの送信電力よりも低く低減するステップとをさらに含む
ことを特徴とする請求項１に記載の周波数再利用ネットワーキング方法。
【請求項６】
前記隣接セルRB確定モジュールが、隣接セルのＰＵＣＣＨにより占用されるＲＢを確定するステップは具体的に、
隣接セルの中心周波数および隣接セルに割り当てられたサブ帯域の帯域幅に基づいて、隣接セルのＰＵＣＣＨにより占用されるＲＢを確定するステップを含む
ことを特徴とする請求項４或いは５に記載の周波数再利用ネットワーキング方法。
【請求項７】
前記隣接セルRB確定モジュールが、隣接セルのＰＵＣＣＨにより占用されるＲＢを確定するステップは具体的に、
隣接セルの中心周波数および隣接セルに割り当てられたサブ帯域の帯域幅に基づいて、隣接セルに割り当てられたサブ帯域の両端にあるＲＢを確定するステップと、
隣接セルに割り当てられたサブ帯域の両端にあるＭ／２個のＲＢを隣接セルのＰＵＣＣＨにより占用されるＲＢとするステップとを含み、
ただし、Ｍは隣接セルのＰＵＣＣＨにより占用されるＲＢの数である
ことを特徴とする請求項６に記載の周波数再利用ネットワーキング方法。
【請求項８】
前記方法において、分割した前記サブ帯域を各セルに割り当てた後に、
情報受信モジュールが、サブ帯域を割り当てられたセルのいずれかについて、隣接セル間に送信される、隣接セルに割り当てられたサブ帯域における各ＲＢに与えられた干渉の大きさを示すオーバーロードインジケータＯＩ情報を受信するステップと、
隣接セルRB確定モジュールが、隣接セルに割り当てられたサブ帯域における、与えられた干渉が所定条件を満たすＲＢを確定し、RB選択モジュールが、当該セルに割り当てられたサブ帯域から、与えられた干渉が所定条件を満たすＲＢと重なるＲＢを確定するステップと、
調整モジュールが、確定した前記の重なるＲＢのスケジュール優先レベルをこのセルに割り当てられたサブ帯域における他のＲＢのスケジュール優先レベルよりも小さく低減し、或いは、確定した前記の重なるＲＢの送信電力を、このセルに割り当てられたサブ帯域における他のＲＢの送信電力よりも低く低減するステップとを含む
ことを特徴とする請求項１に記載の周波数再利用ネットワーキング方法。
【請求項９】
前記方法において、分割したセルを各セルに割り当てた後に、
隣接セルRB確定モジュールが、サブ帯域を割り当てられたセルのいずれかについて、当該セルの隣接セルに割り当てられたサブ帯域から、隣接セルの特定の下りチャンネルにより占用されるＲＢを確定するステップと、
RB選択モジュールが、当該セルに割り当てられたサブ帯域から、物理下り共有チャンネルＰＤＳＣＨにより占用されるＲＢを確定し、ＰＤＳＣＨにより占用されるＲＢから、前記特定の下りチャンネルにより占用されるＲＢと重ならないＲＢを選択し、指示モジュールが、選択したＲＢを利用して当該セルのＰＤＳＣＨを搭載するようにこのセルに指示するステップとをさらに含む
ことを特徴とする請求項１に記載の周波数再利用ネットワーキング方法。
【請求項１０】
前記方法において、分割したセルを各セルに割り当てた後に、
隣接セルRB確定モジュールが、サブ帯域を割り当てられたセルのいずれかについて、当該セルの隣接セルに割り当てられたサブ帯域から、隣接セルの特定の下りチャンネルにより占用されるＲＢを確定するステップと、
RB選択モジュールが、当該セルに割り当てられたサブ帯域から、隣接セルの特定の下りチャンネルにより占用されるＲＢと重なるＲＢを確定するステップと、
調整モジュールが、確定した前記の重なるＲＢのスケジュール優先レベルを、このセルに割り当てられたサブ帯域における他のＲＢのスケジュール優先レベルよりも小さく低減するか、或いは、確定した前記の重なるＲＢの送信電力を、このセルに割り当てられたサブ帯域における他のＲＢの送信電力よりも低く低減するステップとをさらに含む
ことを特徴とする請求項１に記載の周波数再利用ネットワーキング方法。
【請求項１１】
前記の特定の下りチャンネルは、ブロードキャストチャンネルＰＢＣＨ及び・或いは同期チャンネルＳＳである
ことを特徴とする請求項９或いは１０に記載の周波数再利用ネットワーキング方法。
【請求項１２】
前記隣接セルRB確定モジュールが、隣接セルの特定の下りチャンネルにより占用されるＲＢを確定するステップは具体的に、
隣接セルの中心周波数および隣接セルに割り当てられたサブ帯域の帯域幅に基づいて、隣接セルに割り当てられたサブ帯域の中心にある所定長さの帯域により占用されるＲＢを隣接セルの特定の下りチャンネルにより占用されるＲＢと設定するステップを含む
ことを特徴とする請求項９或いは１０に記載の周波数再利用ネットワーキング方法。
【請求項１３】
前記分割モジュールが、分割した前記サブ帯域を各セルに割り当てるステップは具体的に、
１つのサブ帯域を各セルに割り当てるか、或いは
複数のサブ帯域を少なくとも１つのセルに割り当て、かつ同一のセルに割り当てられた複数のサブ帯域のうち、いずれか２つのサブ帯域が重ならない
ことを特徴とする請求項１に記載の周波数再利用ネットワーキング方法。
【請求項１４】
周波数再利用ネットワーキング機器であって、
システムの合計の利用できる帯域を複数のサブ帯域に予め分割する分割モジュールと、
少なくとも２つのセルの割り当てられたサブ帯域には重なる部分が含まれるように、分割した前記サブ帯域を各セルに割り当てる割り当てモジュールと、
占用されるサブ帯域が重なる隣接するセルについて、隣接セルの負荷を確定する負荷確定モジュールと、
前記隣接セルの負荷がすべて負荷閾値よりも小さい場合、重ならない部分の帯域を利用して業務をスケジュールするよう前記隣接セルに指示し、いずれかのセルの負荷も負荷閾値よりも低くない場合、割り当てられたサブ帯域における重ならない部分の帯域を利用して業務をスケジュールする優先レベルが、重なる部分の帯域を利用して業務をスケジュールする優先レベルよりも高いようにするよう当該セルに指示するスケジュールモジュールとを含む
ことを特徴とする周波数再利用ネットワーキング機器。
【請求項１５】
いずれか２つのサブ帯域の合計の帯域幅に対する前記２つのサブ帯域における重なる部分の帯域幅の比例が大きいほど、前記２つのサブ帯域の相関性が大きくなるように、各サブ帯域間の相関性を確定するための相関性確定サブモジュールと、
各サブ帯域間の相関性に基づいて、分割したサブ帯域を各セルに割り当てる実行サブモジュールとを含む
ことを特徴とする請求項１４に記載の周波数再利用ネットワーキング機器。
【請求項１６】
前記実行サブモジュールは、２つのセル間の物理的距離が近いほど、前記２つのセルに割り当てられたサブ帯域間の相関性が小さくなるように、分割したサブ帯域を各セルに割り当てる
ことを特徴とする請求項１５に記載の周波数再利用ネットワーキング機器。
【請求項１７】
サブ帯域を割り当てられたセルのいずれかについて、当該セルの隣接セルに割り当てられたサブ帯域から、隣接セルのＰＵＣＣＨにより占用されるＲＢを確定する隣接セルＲＢ確定モジュールと、
このセルに割り当てられたサブ帯域から、物理上り共有チャンネルＰＵＳＣＨにより占用されるＲＢを確定し、ＰＵＳＣＨにより占用されるＲＢから、前記ＰＵＣＣＨにより占用されるＲＢと重ならないＲＢを選択するＲＢ選択モジュールと、
選択したＲＢを利用してＰＵＳＣＨを搭載するようにこのセルに指示する指示モジュールとを含む
ことを特徴とする請求項１４に記載の周波数再利用ネットワーキング機器。
【請求項１８】
サブ帯域を割り当てられたセルのいずれかについて、当該セルの隣接セルに割り当てられたサブ帯域から、隣接セルのＰＵＣＣＨにより占用されるＲＢを確定する隣接セルＲＢ確定モジュールと、
当該セルに割り当てられたサブ帯域から、隣接セルのＰＵＣＣＨにより占用されるＲＢと重なっているＲＢを確定するＲＢ選択モジュールと、
確定した前記の重なるＲＢのスケジュール優先レベルを、当該セルに割り当てられたサブ帯域における他のＲＢのスケジュール優先レベルよりも小さく低減し、或いは、確定した前記の重なるＲＢの送信電力を、当該セルに割り当てられたサブ帯域における他のＲＢの送信電力よりも低く低減する調整モジュールとを含む
ことを特徴とする請求項１４に記載の周波数再利用ネットワーキング機器。
【請求項１９】
前記隣接セルＲＢ確定モジュールは具体的に、隣接セルの中心周波数および隣接セルに割り当てられたサブ帯域の帯域幅に基づいて、隣接セルに割り当てられたサブ帯域の両端にあるＲＢを確定し、隣接セルに割り当てられたサブ帯域の両端にあるＭ／２個のＲＢを隣接セルのＰＵＣＣＨにより占用されるＲＢとして設定し、
ただし、前記Ｍは隣接セルのＰＵＣＣＨにより占用されるＲＢの数である
ことを特徴とする請求項１７或いは１８に記載の周波数再利用ネットワーキング機器。
【請求項２０】
サブ帯域を割り当てられたセルのいずれかについて、隣接セル間に送信される、隣接セルに割り当てられたサブ帯域における各ＲＢに与えられた干渉の大きさを示すオーバーロードインジケータＯＩ情報を受信する情報受信モジュールと、
隣接セルに割り当てられたサブ帯域における、与えられた干渉が所定条件を満たすＲＢを確定する隣接セルＲＢ確定モジュールと、
当該セルに割り当てられたサブ帯域から、与えられた干渉が所定条件を満たすＲＢと重なっているＲＢを確定するＲＢ選択モジュールと、
確定した前記の重なるＲＢのスケジュール優先レベルをこのセルに割り当てられたサブ帯域における他のＲＢのスケジュール優先レベルよりも小さく低減するか、或いは、確定した前記の重なるＲＢの送信電力を、このセルに割り当てられたサブ帯域における他のＲＢの送信電力よりも低く低減する調整モジュールとをさらに含む
ことを特徴とする請求項１４に記載の周波数再利用ネットワーキング機器。
【請求項２１】
サブ帯域を割り当てられたセルのいずれかについて、当該セルの隣接セルに割り当てられたサブ帯域から、隣接セルの特定の下りチャンネルにより占用されるＲＢを確定する隣接セルＲＢ確定モジュールと、
当該セルに割り当てられたサブ帯域から、ＰＤＳＣＨにより占用されるＲＢを確定し、ＰＤＳＣＨにより占用されるＲＢから、前記特定の下りチャンネルにより占用されるＲＢと重ならないＲＢを選択するＲＢ選択モジュールと、
選択したＲＢを利用してＰＤＳＣＨを搭載するように、このセルに指示する指示モジュールとをさらに含む
ことを特徴とする請求項１４に記載の周波数再利用ネットワーキング機器。
【請求項２２】
サブ帯域を割り当てられたセルのいずれかについて、当該セルの隣接セルに割り当てられたサブ帯域から、隣接セルの特定の下りチャンネルにより占用されるＲＢを確定する隣接セルＲＢ確定モジュールと、
当該セルに割り当てられたサブ帯域から、隣接セルの特定の下りチャンネルにより占用されるＲＢと重なるＲＢを確定するＲＢ選択モジュールと、
確定した前記の重なるＲＢのスケジュール優先レベルを、このセルに割り当てられたサブ帯域における他のＲＢのスケジュール優先レベルよりも小さく低減するか、或いは、確定した前記の重なるＲＢの送信電力を、このセルに割り当てられたサブ帯域における他のＲＢの送信電力よりも低く低減する調整モジュールとをさらに含む
ことを特徴とする請求項１４に記載の周波数再利用ネットワーキング機器。
【請求項２３】
前記隣接セルＲＢ確定モジュールは具体的に、隣接セルの中心周波数および隣接セルに割り当てられたサブ帯域の帯域幅に基づいて、隣接セルに割り当てられたサブ帯域の中心にある所定長さの帯域により占用されるＲＢを隣接セルの特定の下りチャンネルにより占用されるＲＢとして設定する
ことを特徴とする請求項２１或いは２２に記載の周波数再利用ネットワーキング機器。
【請求項２４】
前記割り当てモジュールは具体的に、１つのサブ帯域を各セルに割り当てるか、或いは複数のサブ帯域を少なくとも１つのセルに割り当て、かつ同一のセルに割り当てられた複数のサブ帯域のうち、いずれか２つのサブ帯域が重ならない
ことを特徴とする請求項１４に記載の周波数再利用ネットワーキング機器。
【発明の詳細な説明】
【技術分野】
【０００１】
本発明は、通信技術分野に関し、特に周波数再利用ネットワーキング方法および機器に関する。
【背景技術】
【０００２】
TD-LTE（Time Division-Synchronous Code Division Multiple Access Long Term Evolution）は進んだ技術の一つとして、システムにおけるピークデータレートや、セル周辺データレート、周波数スペクトル利用率をあげることができる。
【０００３】
TD-LTEシステムを従来のシステム（２G/２．５G/３G）と混在させ、システムの前方・後方コ互換性を実現するために、従来のシステムに対して下記のような変更を加えた：
【０００４】
変更１：無線アクセスネット（Radio Access Network, RAN）側で、CDMA技術からOFDM（Orthogonal Frequency Division Multiplexing）技術に変更することにより、ブロードバンドシステムにおけるマルチパス干渉に対する有効な抵抗という目的を実現する。
【０００５】
前記OFDM技術は２０世紀６０年代から始まり、その後、ますます改良され発展し、９０年代後の信号処理技術の発展につれて、デジタル放送、デジタル加入者回線（DSL）や無線LANなどの分野に広範に応用されている。OFDM技術は、マルチパス干渉に対して強く、簡単に実現でき、複数の帯域幅に対して柔軟にサポートし、周波数スペクトル利用率が高く、効率な適応スケジュールをサポートするなどの利点を有し、未来の４G技術として公認されている。
【０００６】
変更２：周波数スペクトル効率をさらにあげるために、TD-LTEシステムにおいては、MIMO（Multiple-Input Multiple-Output）技術が採用されている。
【０００７】
MIMO技術は、マルチアンテナシステムの空間チャンネル特性を利用して、同時に複数のデータストリームを伝送することにより、データレートおよび周波数スペクトル効率を有効に上げることができる。
【０００８】
変更３：コントロールプレーンおよびユーザプレーンによる遅延を下げ、低遅延（コントロールプレーンによる遅延が１００ｍｓより小さい、ユーザプレーンによる遅延が５ｍｓより小さい）の要求を満足するために、従来のシステムにおけるNodeB-RNC-CNという構成を簡略化する必要があり、RNCが物理的な実体として存在しなくなるとともに、NodeBはRNCの一部の機能を含んでeNodeBとなる。eNodeB間にX2インタフェースを通じて綱状に繋げ、CNに直接にアクセスすることになる。
【０００９】
従来、LTEシステムは主に、以下の２つのネットワーキング方式を採用している。
ネットワーキング方式１：周波数再利用因数がNのネットワーキング方式を採用し、ただし、Nが１よりも大きい正整数である。本ネットワーキング方式においては、周波数再利用因数Nの値により、LTEシステムにおける合計の利用できる帯域を複数サブ帯域に分割し、各サブ帯域の間には重なる部分がなく、異なるサブ帯域が異なるセルにより占用される。
【００１０】
図１に示すように、周波数再利用因数N＝３の場合におけるLTEシステムのネットワーキングを示す図である。LTEシステムにおける利用できる帯域の帯域幅が合計６０Mの場合、この６０Mの帯域幅をサブ帯域１、サブ帯域２およびサブ帯域３という３つのサブ帯域に分割すると、サブ帯域毎の帯域幅が２０MHｚとなり、かつ各サブ帯域の間には互いに重ならない。この場合、セルA、セルBおよびセルCはそれぞれ、サブ帯域１、サブ帯域２およびサブ帯域３を占用する。
【００１１】
ネットワーキング方式１を採用してネットワーキングする際に、いずれか２つのセルにより占用されるサブ帯域が異なり、かつ各サブ帯域の間には重なる部分がないため、セル間の干渉が比較的に小さく、かつ実際のネットワーク設計も比較的に簡単となり、実現しやすい。しかしながら、ネットワーキング方式１を採用してネットワーキングする際に、LTEシステムにおける合計の利用できる帯域の帯域幅は、単独のセルに必要なサブ帯域の帯域幅のN倍となるため、LTEシステムの必要な帯域幅は比較的に大きく、システム全体の周波数利用率は低くなる。
【００１２】
ネットワーキング方式２：周波数再利用因数が１であるネットワーキング方式である。このネットワーキング方式では、LTEシステムの合計の利用できる帯域を１つのサブ帯域と見なし、各セルともがこの合計の利用できる帯域を占用し、つまり各セルが同一の帯域を占用する。
【００１３】
図２に示すように、周波数再利用因数N＝１の場合におけるLTEシステムのネットワーキングを示す図である。LTEシステムの合計の利用できる帯域が２０Mの場合、セルA、セルBおよびセルCはこの２０Mの帯域を共有する。
【００１４】
ネットワーキング方式２を採用してネットワーキングする場合、システム全体の周波数利用率は比較的に高いであるが、各セルが同一の帯域を占用するため、セル間の同一チャネル干渉が比較的に大きく、特にセル間の周縁にあるユーザに与えられた干渉は非常に厳重であることがあるため、周縁ユーザのコントロールチャンネルは正常に動作できなくなる。
【発明の概要】
【発明が解決しようとする課題】
【００１５】
このように、從来のLTEシステムのネットワーキング方式では、周波数利用率が低すぎ、或いはセル間の同一チャネル干渉が比較的に大きいという課題が存在するため、システム全体の性能には悪い影響が与えられる。
【課題を解決するための手段】
【００１６】
本発明の実施例によれば、周波数利用率が低すぎるという課題、およびセル間の同一チャネル干渉が比較的に大きいという課題を同時に解決するために、周波数再利用ネットワーキング方法および機器を提供する。
【００１７】
周波数再利用ネットワーキング方法であって、
システムの合計の利用できる帯域を複数のサブ帯域に分割し、
分割した前記サブ帯域を各セルに割り当て、ただし、少なくとも２つのセルの割り当てられたサブ帯域には重なる部分が含まれる。
【００１８】
周波数再利用ネットワーキング機器であって、
システムの合計の利用できる帯域を複数のサブ帯域に予め分割する分割モジュールと、
分割した前記サブ帯域を各セルに割り当てる割り当てモジュールとを含み、
ただし、少なくとも２つのセルの割り当てられたサブ帯域には重なる部分が含まれる。
【００１９】
本発明の有益な効果は下記通り。
本発明の実施例によれば、システムの合計の利用できる帯域を複数のサブ帯域に分割し、少なくとも２つのセルの割り当てられたサブ帯域には重なる部分が含まれる場合、分割したサブ帯域を各セルに割り当てる。このため、従来技術による周波数再利用因数がNであるサブ帯域直交ネットワーキング方式に対して、システムにおける周波数の利用率を上げるとともに、従来技術による周波数再利用因数が１であるネットワーキング方式に対して、セル間の同一チャネル干渉を低減することができる。
【００２０】
本発明或いは従来技術における技術案をさらに明確にするために、以下では、本発明或いは従来技術に対する記述に必要となる図面について簡単に紹介し、以下に記述される図面は本発明のいくつの実施例に限り、当業者にとって、創意性の作業を要らずこれらの図面に基づいてその他の図面を得られることが明らかである。
【図面の簡単な説明】
【００２１】
【図１】図１は、従来技術において、周波数再利用因数N＝３の場合のシステムのネットワーキングを示す図である。
【図２】図２は、従来技術において、周波数再利用因数N＝１の場合のシステムのネットワーキングを示す図である。
【図３】図３は、本発明の実施例１における周波数再利用ネットワーキングの方法を示す図である。
【図４】図４は、本発明の実施例１におけるネットワーキングを示す図である。
【図５】図５は、本発明の実施例１におけるネットワーキングを示す図である。
【図６】図６は、本発明の実施例１におけるネットワーキングを示す図である。
【図７】図７は、本発明の実施例１における１種のネットワーキングを示す図である。
【図８】図８は本発明の実施例２における周波数再利用ネットワーキングの方法を示す図である。
【図９（ａ）】図９（ａ）は、本発明の実施例２における２種のネットワーキングを示す図である。
【図９（ｂ）】図９（ｂ）は、本発明の実施例２における２種のネットワーキングを示す図である。
【図１０】図１０は、本発明の実施例２における３種のネットワーキングを示す図である。
【図１１】図１１は、本発明の実施例２における３種のネットワーキングを示す図である。
【図１２】図１２は、本発明の実施例２における３種のネットワーキングを示す図である。
【図１３】図１３は、本発明の実施例３における、隣接セルのPBCH/SSとPDSCHとの間の同一チャネル干渉を低減する方式１を示す図である。
【図１４（ａ）】図１４（ａ）は、本発明の実施例３におけるネットワーキングを示す図である。
【図１４（ｂ）】図１４（ｂ）は、本発明の実施例３におけるネットワーキングを示す図である。
【図１４（ｃ）】図１４（ｃ）は、本発明の実施例３におけるネットワーキングを示す図である。
【図１５】図１５は、本発明の実施例３における、隣接セルのPBCH/SSとPDSCHとの間の同一チャネル干渉を低減する方式２を示す図である。
【図１６】図１６は、本発明の実施例４における、隣接セルのPUCCHとPUSCHとの間の同一チャネル干渉を低減する方式１を示す図である。
【図１７（ａ）】図１７（ａ）は、本発明の実施例４におけるネットワーキングを示す図である。
【図１７（ｂ）】図１７（ｂ）は、本発明の実施例４におけるネットワーキングを示す図である。
【図１７（ｃ）】図１７（ｃ）は、本発明の実施例４におけるネットワーキングを示す図である。
【図１８】図１８は、本発明の実施例４における、隣接セルのPUCCHとPUSCHとの間の同一チャネル干渉を低減する方式２を示す図である。
【図１９】図１９は、本発明の実施例５における、隣接セルの間の同一チャネル干渉を低減する方法を示す図である。
【図２０】図２０は、本発明の実施例５における、セルAとセルBのネットワーキングおよびOI情報を示す図である。
【図２１】図２１は、本発明の実施例５における周波数再利用ネットワーキング機器を示す図である。
【発明を実施するための形態】
【００２２】
従来技術における、充分にシステム周波数を利用しながら、セル間の同一チャネル干渉（Co-Channel Interference :CCI）を低減できないという課題を解決するために、本発明の実施例によれば、システムの合計の利用できる帯域を複数のサブ帯域に分割し、少なくとも２つのセルの割り当てられたサブ帯域には重なる部分が含まれるように、分割した前記サブ帯域を各セルに割り当てる周波数再利用ネットワーキングの方法を提供する。これにより、従来技術によるネットワーキング方式１に対して、システム周波数の利用率を上げ、従来技術によるネットワーキング方式２に対して、セル間の同一チャネル干渉を低減することができる。
【００２３】
本発明の各実施例に係る周波数再利用ネットワーキング方式を“周波数シフト周波数再利用（Frequency Shifted Frequency Reuse, FSFR）”ネットワーキングともいい、以下に図面を結合して本発明の実施例を詳細的に説明する。
【００２４】
実施例１
図３に示すように、本発明の実施例１に係る周波数再利用ネットワーキングの方法を示す図である。この方法は、下記のステップを含む：
【００２５】
ステップ１０１：システムの合計の利用できる帯域を複数のサブ帯域に分割しておく。
このステップにおいては、分割したサブ帯域の数は周波数再利用因数Nと同じであってもよく、分割した複数のサブ帯域には、重なる部分のあるサブ帯域が少なくとも２つ存在し、つまり共通部分のないサブ帯域が少なくとも２つ存在する。具体的には、以下の２つ場合が存在する。
【００２６】
いずれかのサブ帯域はその他のサブ帯域と重なる部分を有するか、或いは一部のサブ帯域の間には重なる部分を有し、残る一部のサブ帯域とその他のサブ帯域の間には重ならない。
【００２７】
本実施例１においては、２つサブ帯域の間には重なる部分を有するとは、２つのサブ帯域が占用する帯域が一部重なっているというか、或いは２つのサブ帯域が占用する帯域が完全に重なっているという。
【００２８】
このステップ１０１は前処理となり、ネットワーキング毎に実行することではなく、システムの変更があって、サブ帯域を分割しなおす必要がある場合のみ、ステップ１０１を実行する。本実施例１の方案は、ステップ１０１を毎回実行することに限定されるものではない。
【００２９】
本実施例におけるN個のサブ帯域のうち、各サブ帯域の占用する帯域幅の大きさは同じであってもよく、異なってもよい。
【００３０】
ステップ１０２：分割した前記サブ帯域を各セルに割り当て、ただし、少なくとも２つセルの割り当てられたサブ帯域には重なる部分を有する。
【００３１】
このステップは、セル単位でサブ帯域を分割してもよく、複数の隣接セルの集合をセル群として定義し、合計の利用できる帯域を複数のサブ帯域を含む帯域の部分集合に分割してもよい。サブ帯域をセルに割り当てると、１つの帯域の部分集合を１つのセル群における複数のセルに割り当てもよい。
【００３２】
本実施例１の方案においては、サブ帯域の各セルに対する割り当ては２つの方式がある。
【００３３】
第１の割り当て方式：各セルに１つのサブ帯域を割り当てる。
【００３４】
図４に示すように、利用できる帯域が合計３０MHｚの場合、この合計の利用できる帯域を、サブ帯域１、サブ帯域２およびサブ帯域３という３つのサブ帯域に分割し、各サブ帯域が２０Mの帯域幅を占用し、いずれか２つのサブ帯域の間には一部重なっている。この場合、サブ帯域１をセルAに、サブ帯域２をセルBに、サブ帯域３をセルCにそれぞれ割り当てることができる。ただし、セルA、BおよびCはアドレスが同一の隣接セルとなる。
【００３５】
利用できる帯域が合計４０MHｚ或いは５０MHｚの場合、合計の利用できる帯域の分割方式は図５、図６に示すように、各サブ帯域（サブ帯域１、サブ帯域２およびサブ帯域３）がともに２０Mの帯域幅を占用し、いずれか２つのサブ帯域の間には一部重なっている。
【００３６】
図４〜図６を比較すると、分割したサブ帯域の数が変化しない場合、合計の利用できる帯域の増加につれて、いずれか２つのサブ帯域の間の重なる部分が小さくなる。このため、システムは干渉に強くなり、セル間の同周波数干渉が低下する。
【００３７】
図４〜図６以外の場合、本発明の実施例はその他の利用できる帯域、例えば１５MHｚ、２５MHｚ、３５MHｚ、４５MHｚの合計の利用できる帯域に適用できる。
【００３８】
第２の割り当て方式：少なくとも１つのセルに複数のサブ帯域を割り当てる。
【００３９】
この第２の割り当て方式では、同一のセルに割り当てられたリソースの間の干渉を低減するために、同一のセルに割り当てる複数のサブ帯域は、いずれか２つの間に重ならなく、つまり２つごとに直交する必要がある。
【００４０】
図７に示すように、利用できる帯域が合計５０MHｚの場合、この合計の利用できる帯域を、サブ帯域１、サブ帯域２、サブ帯域３、サブ帯域４およびサブ帯域５という５つのサブ帯域に分割し、各サブ帯域が２０MHｚの帯域幅を占用する。この場合、サブ帯域１およびサブ帯域２（サブ帯域１とサブ帯域２とが直交する）をセルAに、サブ帯域３をセルBに、サブ帯域４およびサブ帯域５（サブ帯域４とサブ帯域５とが直交する）をセルCにそれぞれ割り当てることができる。
【００４１】
前記の第１の割り当て方式は単キャリアのシステムに適用でき、第２の割り当て方式は複数キャリアのシステムに適用でき、例えば、時間分割多重の長期進化（LTE TDD）システム、周波数分割多重の長期進化（LTE FDD）システム、上級の時間分割多重の長期進化（LTE-A TDD）システム、上級の周波数分割多重の長期進化（LTE-A FDD）システム、ワールドワイドマイクロ波インターオペラビリティーアクセスシステム（WiMAX）およびIEEE802.16mなどのシステムに適切に適用できる。
【００４２】
本発明の各実施例に係る方案はすべて、単キャリアのシステムおよび複数キャリアのシステムに適用することができる。
【００４３】
以下は、具体的な実例を結合して本発明の実施例１の方案を詳細的に説明する。
【００４４】
実施例２
本発明の実施例２は、実施例１をもとに実施例１に対する詳細的な説明である。
【００４５】
図８に示すように、本発明の実施例２の方法を示す図である。前記方法は下記のステップを含む：
【００４６】
ステップ２０１：システムの合計の利用できる帯域を複数のサブ帯域に分割する。
【００４７】
ステップ２０２：分割した複数のサブ帯域の間の相関性を確定する。
【００４８】
本実施例の方案においては、相関性が小さいほど、サブ帯域間の干渉が小さい。このため、サブ帯域をセルに割り当てる前に、予めサブ帯域間の相関性を確定し、相関性の小さいサブ帯域を物理的距離の近いセルに割り当て、相関性の大きいサブ帯域を物理的距離の遠いセルに割り当てることにより、物理的距離の近いセル間の同周波数干渉を最大限に低減する。
【００４９】
２つのサブ帯域間の相関性を確定するときに、この２つのサブ帯域の占用する合計帯域幅に対する２つのサブ帯域間の重なる部分の帯域幅の比例が大きいほど、前記２つのサブ帯域の相関性が大きい。具体的なアルゴリスムは、２つのサブ帯域の重なる部分が占用している帯域幅を、２つのサブ帯域が占用している合計帯域幅で除算した商が大きいほど、２つのサブ帯域の相関性が大きいものである。
【００５０】
２つのサブ帯域には重なる部分がない（つまり２つのサブ帯域が直交する）場合、前記商が０となり、２つのサブ帯域が相関しない；２つのサブ帯域が一部重なる場合、前記商が０以上かつ１以下となる；２つのサブ帯域が完全に重なる場合、前記商が１となる。
【００５１】
図４において分割したサブ帯域を例とし、サブ帯域１とサブ帯域２との重なる部分の占用している帯域幅を１０Mとし、サブ帯域１とサブ帯域２との占用している合計帯域幅を３０Mとすると、サブ帯域１とサブ帯域２との重なる部分の占用している帯域幅をサブ帯域１とサブ帯域２との合計帯域幅で除算した商が１/３となる。サブ帯域１とサブ帯域３との重なる部分の占用している帯域幅を１５Mとし、サブ帯域１とサブ帯域３との合計帯域幅を３０Mとすると、サブ帯域１とサブ帯域３との重なる部分の占用している帯域幅をサブ帯域１とサブ帯域３との合計帯域幅で除算した商が１/２となる。このため、サブ帯域１とサブ帯域２の間の相関性はサブ帯域１とサブ帯域３の間の相関性よりも小さい。
【００５２】
ステップ２０３：２つのセル間の物理的距離が近いほど、前記２つのセルに割り当てられたサブ帯域間の相関性が小さい。
【００５３】
再度図４において分割したサブ帯域を例とし、図９（a）に示すように、４のアドレスが配置された領域では、各アドレスにはそれぞれ、３つ，１つ，３つ，２つのセルがある。サブ帯域１〜サブ帯域３をセルA〜セルCに割り当てると、セルA〜セルCが隣接するため、２つのセルごとの間の物理距離が同じとなるので、サブ帯域１〜サブ帯域３はセルA〜セルCのいずれかに割り当てることができる。
【００５４】
図９（a）に示す図においては、サブ帯域１〜サブ帯域３をセルA〜セルDに割り当てようとすると、セルA〜セルCにすでサブ帯域が割り当てられている、その場合、サブ帯域１或いはサブ帯域３をセルDに割り当てることができる。
【００５５】
これは、サブ帯域１とサブ帯域３の間の相関性が大きく、セルDから一番遠いセルCにサブ帯域３を割り当てた、セルDにサブ帯域１を割り当てることができるが、サブ帯域１をセルDから次に遠いセルAにすでに割り当てたため、セルDに割り当てるサブ帯域１とセルAに割り当てるサブ帯域１とが同一チャネル干渉をある程度発生し、一方、セルDにサブ帯域３を割り当てると、サブ帯域２とサブ帯域３の間の相関性が比較的に高くても、セルDとセルCとの距離が一番遠いので、セルDにサブ帯域３を割り当てるとセルDとセルCとの間の同一チャネル干渉を低減することができるためである。
【００５６】
図９（a）において、サブ帯域をセルE〜セルIに割り当てるプロセスはセルDの場合と似ている。
【００５７】
説明することは、本発明の実施例おいては、セル間の物理的距離を例として、サブ帯域をセルに割り当てる方法を説明するが、本発明の実施例は、その他の規則でサブ帯域をセルに割り当てる方法に適用することもできる。
【００５８】
ステップ２０４：占用されるサブ帯域が重なる隣接セルについて、隣接セルの負荷がともに負荷閾値より低いか判断し、低い場合、ステップ２０５に移行し、そうでない場合、ステップ２０６に移行する。
【００５９】
サブ帯域をセルに割り当てた後に、隣接セルのサブ帯域間の重なる状況によって、セルに対してサブ帯域リソースの利用条件を設定する。
【００６０】
図９（ｂ）において分割したサブ帯域を例とし、利用できる帯域は合計３０MHｚとなり、サブ帯域１とサブ帯域２という２つのサブ帯域に分割し、各サブ帯域の占用している帯域幅がそれぞれ２０Mとなり、サブ帯域１とサブ帯域２との間には帯域幅が１０Mの重なる部分（図９（ｂ）における斜線部分）があり、サブ帯域１をセル１に、サブ帯域２をセル１と隣接するセル２にそれぞれ割り当てる。
【００６１】
このステップの実行時に、セルAがサブ帯域１における左の１０M帯域リソースを優先に利用し、セルBがサブ帯域２における右の１０M帯域リソースを優先に利用する。つまり、セルAとセルBがともに、サブ帯域における重なる部分である帯域を優先に利用して業務をスケジュールする。セルAとセルBの負荷が低い（負荷閾値より低い）場合、サブ帯域１における重ならない１０M帯域によってもセルAの負荷をサポートでき、サブ帯域２における重ならない１０M帯域によってもセルBの負荷をサポートでき、つまりセルAとセルBは、セル間の同一チャネル干渉を低減するように各サブ帯域における重ならない部分のみを利用してもよい。
【００６２】
セルAの負荷が負荷閾値以上に上がると、セルAはサブ帯域１の全体を利用してもよく、そのときのセルBの負荷が負荷閾値より低くなると、セルBはサブ帯域２における右の１０M帯域を継続して利用してよい。
【００６３】
セルAがサブ帯域１の全体を利用する場合、セル１においてスケジュールしようとされる業務を優先レベルの高い順に並び替え、スケジュール優先レベルの高い業務を同一チャネル干渉の小さいリソースで伝送させるように、サブ帯域１における重ならない部分の帯域で業務優先レベルの高い業務をスケジュールし、サブ帯域１における重なる部分の帯域で業務優先レベルの低い業務をスケジュールすることにより、優先レベルの高い業務の正確な実行を確保する。
【００６４】
ステップ２０５：セルは、重ならない部分の帯域を利用して業務をスケジュールし、完了する。
【００６５】
ステップ２０６：負荷が負荷閾値より低くないセルは、割り当てられたサブ帯域における重ならない部分の帯域を利用して業務をスケジュールする優先レベルが、重なる部分の帯域を利用して業務をスケジュールする優先レベルよりも高いようにする、そして、完了する。
【００６６】
本発明の実施例２の方案によれば、合計の利用できる帯域が小さい場合、大きい周波数再利用因数を支持し、システムにおける周波数の利用率を上げることができるとともに、サブ帯域間の相関性に基づいて、サブ帯域の相関性が大きいサブ帯域を物理的距離の遠いセルに割り当てるという原則で、サブ帯域のセルに対する割り当てを行うことにより、セル間の同一チャネル干渉を最小化することができる。サブ帯域をセルに適切に割り当てた後のネットワーキング時に、負荷の小さいセルに、サブ帯域における他の隣接セルと重ならないリソースを使用させることにより、セル間の同一チャネル干渉をさらに低減する。負荷が大きいセルは優先に、サブ帯域における他の隣接セルのサブ帯域と重ならないリソースを利用して優先レベルの高い業務をスケジュールし、サブ帯域における他の隣接セルのサブ帯域と重なるリソースを利用して優先レベルの低い業務をスケジュールすることにより、優先レベルの高い業務を同一チャネル干渉の小さいリソースで伝送させて、優先レベルの高い業務の正確な実行を確保する。本発明の実施例においては、サブ帯域の分割およびサブ帯域のセルに対する割り当ては予測可能なプロセスであり、ネットワークに動的に変化させず、スケジュールアルゴリスムも実現しやすい。
【００６７】
以下、図１０-図１２にて本発明の実施例１および実施例２の有益な効果を説明する。図１０-図１２は実施例１および実施例２の方案を示す図であり、本発明の実施例を限定するものではない。
【００６８】
図１０-図１２には、合計の利用できる帯域を３０MHｚとし、３つのサブ帯域に分割し、各サブ帯域の帯域幅が２０Mとなり、ただし、サブ帯域１をセルAに、サブ帯域２をセルBに、サブ帯域３をセルCにそれぞれ割り当て、セルA、B、Cが同一アドレスの隣接セルとなる。
【００６９】
図１０においては、物理下り制御チャンネル（PDCCH）や、物理HARQインジケータチャンネル（PHICH）、物理制御フォーマットインジケータチャンネルにより、セルのサブ帯域が全部占用される。図１０から、セルA、B、Cにおいて、PDCCHにより占用されるサブ帯域が完全に重なっていない（つまり、サブ帯域の一部が直交する）ため、図２に示すネットワーキング方式２と比較して、本発明の実施例のネットワーキング方式を採用すると、PDCCHに与えるセル間の同一チャネル干渉が図２に示すネットワーキング方式２による同一チャネル干渉によりも小さいことがわかる。サブ帯域における利用状況について、PHICHおよびPCFICHはPDCCHと同じであるため、ここで省略する。
【００７０】
図１１においては、ブロードキャストチャンネル（PBCH）および同期チャンネル（SS）により、各セルに割り当てられたサブ帯域の中間部分が占用され、幅が１．０８MHｚとなり、物理下り共有チャンネル（PDSCH）により、サブ帯域における、この１．０８MHｚのPBCHおよびSS以外の帯域が占用される。図１１から、隣接セルA、BおよびCのPBCHおよびSSにより占用される帯域が互いに直交しており、当該１．０８MHｚ以外の帯域がPDSCHにより占用されるため、セルの負荷が小さい場合、PDSCHを情報の伝送に利用することが少ないことがわかる。このため、隣接セルA、BおよびCの間、PBSCHおよびSSに与える同一チャネル干渉が小さい。
【００７１】
図１０および図１１は下りチャンネルを用いて本発明の効果を説明するものであるが、図１２は上りチャンネルの例で本発明の効果を説明する。
【００７２】
図１２においては、セルのサブ帯域の両端部分のすべてが物理上り制御チャンネル（PUCCH）により占用され、物理上り共有チャンネル（PUSCH）により、PUCCH以外の帯域が占用される。図１２から、隣接セルA、BおよびCのPUCCHにより占用される帯域が互いに直交しており、セル負荷が小さい場合、PUSCHを情報の伝送に利用することが少ないため、各セルのPUCCHに与えるセル間の同一チャネル干渉が小さいことがわかる。
【００７３】
図１１に示すように、隣接セルのPBCH/SSとPDSCHとが完全に重なっており（つまり同一の帯域にある）、セルの負荷が小さい場合、PDSCHを情報の伝送に利用することが少なく、PBCH/SSに与える同一チャネル干渉が小さい。しかし、セルの負荷が大きい場合、隣接セルのPBCH/SSおよびPDSCHが同一の帯域にありかつ同時に送信すると、隣接セルのPBCH/SSとPDSCHとの間に同一チャネル干渉が生じ、PBCH/SSの性能に大きく影響を与えることもある。
【００７４】
図１２に示すように、隣接セルのPUCCHとPUSCHとが完全に重なっており（つまり同一の帯域にある）、セルの負荷が小さい場合、PUSCHを情報の伝送に利用することが少なく、PUＣCHに与える同一チャネル干渉が小さい。しかし、セルの負荷が大きい場合、隣接セルのPUCCHおよびPUSCHが同一の帯域にありかつ同時に送信すると、隣接セルのPUCCHとPUSCHとの間に同一チャネル干渉が生じ、PUCCHの性能に大きく影響を与えることもある。
【００７５】
これに対して、本発明の実施例３および実施例４はそれぞれ、下りチャンネルに対するネットワーキング最適化方法および上りチャンネルに対するネットワーキング最適化方法を提出し、隣接セルのPBCH/SSとPDSCHとの間の同一チャネル干渉、および隣接セルのPUCCHとPUSCHとの間の同一チャネル干渉の問題を解決する。
【００７６】
実施例３
本発明の実施例３においては、隣接セルのPBCH/SSとPDSCHとの間の同一チャネル干渉の低減方法は下記の２つを含むが、それらに限らない。
【００７７】
図１３に示すように、隣接セルのPBCH/SSとPDSCHとの間の同一チャネル干渉の第１の低減方法は下記のステップを含む。
【００７８】
ステップ３０１：サブ帯域が割り当てられたセルのいずれかについて、当該セルの隣接セルに割り当てられたサブ帯域から、隣接セルの特定の下りチャンネルにより占用されるRBを確定する。
【００７９】
本実施例においては、特定の下りチャンネルには、PBCHおよび/或いはSSを含む。その他の下りチャンネルを含んでもよい。
【００８０】
PBCH/SSは一般的にサブ帯域の中心に位置する。このため、このステップにおいては、隣接セルの中心周波数および隣接セルに割り当てられたサブ帯域の帯域幅に基づいて、隣接セルに割り当てられたサブ帯域の中心にある所定長さの帯域により占用されるRBを隣接セルの特定の下りチャンネルにより占用されるRBと設定することができ、前記所定長さの帯域は中心にある１．０８MHｚの帯域、つまりサブ帯域の中心点の左右にある各０．５４MHｚの帯域であってもよい。
【００８１】
図１４（a）に示すように、合計の利用できる帯域を５つのサブ帯域に分割し、サブ帯域１およびサブ帯域２をセルAに、サブ帯域３をセルBに、サブ帯域４およびサブ帯域５をセルCにそれぞれ割り当て、セルA、B、Cが同一のアドレスの隣接セルとなるとする。セルAについて、セルBに割り当てられたサブ帯域３における特定の下りチャンネルにより占用されるリソースブロック（RB）、およびセルCに割り当てられたサブ帯域４およびサブ帯域５における特定の下りチャンネルにより占用されるRBを確定する。
【００８２】
ステップ３０２：このセルに割り当てられたサブ帯域におけるPDSCHにより占用されるRBを確定する。
【００８３】
図１４（a）には、少なくとも１つのセルに複数のサブ帯域を割り当てる場合を例として説明する。本実施例によれば、セルAに２つのサブ帯域を割り当ており、ただし、サブ帯域１およびサブ帯域２について、ともに図１３に示すステップを実行する必要がある。これにより、サブ帯域１およびサブ帯域２と他のサブ帯域との間の同一チャネル干渉を低減する。
【００８４】
本実施例においては、サブ帯域１を例とすると、このステップでは、図１４（a）におけるサブ帯域１の斜線部分以外の部分をPDSCHにより占用されるRBとして確定する。
ステップ３０３：PDSCHにより占用されるRBから、隣接セルの特定の下りチャンネルにより占用されるRBと重ならないRB（つまり、隣接セルの特定の下りチャンネルと直交するRB）を選択する。
【００８５】
図１４（a）におけるサブ帯域１を例とすると、サブ帯域１のPDSCHにより占用されるRBから、サブ帯域３、サブ帯域４、およびサブ帯域５のPBCH/SSと直交するRBを選択する必要がある。サブ帯域１とサブ帯域５とが完全に直交するため、このステップでは、実際にサブ帯域１のPDSCHにより占用されるRBから、サブ帯域３およびサブ帯域４のPBCH/SSと直交するRB、つまり図１４（a）における表記したサブ帯域１の一部の帯域を選択する。
【００８６】
ステップ３０４：選択したRBにより、当該セルのPDSCHを搭載する。
【００８７】
セルAはサブ帯域１のPDSCHで情報伝送を行う場合、選択したRBを優先に用いてセルAのPDSCHを搭載することにより、サブ帯域１のPDSCHとサブ帯域３、サブ帯域５と同時に情報伝送を行うことを確保する場合、サブ帯域１のPDSCHからのサブ帯域３およびサブ帯域５のPBCH/SSに対する同一チャネル干渉が小さくなる。
【００８８】
図１５に示すように、隣接セルのPBCH/SSとPDSCHとの間の同一チャネル干渉の第２の低減方法は下記のステップを含む。
【００８９】
ステップ４０１：サブ帯域が割り当てられたセルのいずれかについて、当該セルの隣接セルに割り当てられたサブ帯域から、隣接セルの特定の下りチャンネルにより占用されるRBを確定する。
【００９０】
図１４（ｂ）（図１４（ｂ）のサブ帯域の分割および割り当て方式は図１４（a）と同じ）を例とすると、セルAについて、セルBに割り当てられたサブ帯域３における特定の下りチャンネルにより占用されるリソースブロック（RB）、およびセルCに割り当てられたサブ帯域４およびサブ帯域５における特定の下りチャンネルにより占用されるRBを確定する。
【００９１】
ステップ４０２：このセルに割り当てられたサブ帯域から、隣接セルの特定の下りチャンネルにより占用されるRBと重なっているRBを確定する。
【００９２】
図１４（ｂ）においては、サブ帯域１における、サブ帯域３およびサブ帯域５のPBCH/SSにより占用されるRBと重なっているRB、つまり図１４（ｂ）における表記した部分を確定する。
【００９３】
ステップ４０３：確定した重なるRBのスケジュール優先レベル或いは送信電力を低減する。
【００９４】
このステップでは、確定したサブ帯域１における重なるRBがチャネル伝送情報を搭載すると、サブ帯域３、サブ帯域５におけるPBCH/SSとの同一チャネル干渉が生じることになるため、この同一チャネル干渉を低減するために、確定したサブ帯域１における前記の重なるRBのスケジュール優先レベルを、サブ帯域１の他のRBのスケジュール優先レベルよりも小さく低減し、或いは、確定したサブ帯域１における前記の重なるRBの送信電力を、サブ帯域１の他のRBの送信電力よりも低く低減する。極端な場合、確定したサブ帯域１における前記の重なるRBの送信電力を、情報伝送に使わないように０に調整する。
【００９５】
ステップ４０４：優先レベル或いは送信電力を調整したサブ帯域で、情報の伝送を行う。
【００９６】
セルAは、サブ帯域１のPDSCHで情報伝送を行う場合、サブ帯域１のPDSCHからサブ帯域３およびサブ帯域５のPBCH/SSに対する同一チャネル干渉が小さくなるように、サブ帯域３およびサブ帯域５のPBCH/SSと直交するRBを優先に利用する。
【００９７】
いずれかのセルについて、図１４（a）および図１４（ｂ）には、帯域を連続に割り当てる方法であって、つまり連続する２つの帯域が同一のセルに割り当てられた複数のサブ帯域により占用されるものである。その利点は、合計の利用できる帯域の占用される部分が少ない。同一チャネル干渉をさらに低減するために、本発明の実施例３を、図１４（ｃ）に示す帯域を連続しなくて割り当てる方法に適用することもできる。
【００９８】
本発明の実施例３に係る２つの同一チャネル干渉の低減方法においては、あるセルのPDSCHにより占用されるRBと、隣接セルのPBCH/SSにより占用されるRBとを、このセルのPDSCHと隣接セルのPBCH/SSとの間の干渉を最低にするように、周波数上でずらす。
【００９９】
実施例４
本発明の実施例４においては、隣接セルのPUCCHとPUSCHとの間の同一チャネル干渉の低減方法は下記の２つを含むが、これらに限らない。
【０１００】
図１６に示すように、隣接セルのPUCCHとPUSCHとの間の同一チャネル干渉の第１の低減方法は下記のステップを含む。
【０１０１】
ステップ５０１：サブ帯域を割り当てられたセルのいずれかについて、当該セルの隣接セルに割り当てられたサブ帯域から、隣接セルのPUCCHにより占用されるRBを確定する。
【０１０２】
PUCCHは一般的にサブ帯域の両端に位置する。このため、このステップにおいては、隣接セルの中心周波数および隣接セルに割り当てられたサブ帯域の帯域幅に基づいて、隣接セルのPUCCHにより占用されるRBを確定する。
【０１０３】
具体的には、隣接セルの間はスタティック方式、半スタティック方式或いはダイナミック方式で、X2或いはS1インタフェースにてそれぞれのPUCCH RBの数Mを互いに知らせる。あるセルについて、隣接セルの中心周波数および隣接セルに割り当てられたサブ帯域の帯域幅に基づいて、隣接セルに割り当てられたサブ帯域の両端にあるRBを確定し、隣接セルに割り当てられたサブ帯域の両端にあるM/２個のRBを隣接セルのPUCCHにより占用されるRBとして設定する。
【０１０４】
図１７（a）に示すように、合計の利用できる帯域を５つのサブ帯域に分割し、サブ帯域１およびサブ帯域２をセルAに、サブ帯域３をセルBに、サブ帯域４およびサブ帯域５をセルCにそれぞれ割り当て、セルA、B、Cが同一のアドレスの隣接セルとなるとする。セルAについて、セルBに割り当てられたサブ帯域３におけるPUCCHにより占用されるRBと、セルCに割り当てられたサブ帯域４およびサブ帯域５におけるPUCCHにより占用されるRBを確定する。
【０１０５】
ステップ５０２：このセルに割り当てられたサブ帯域におけるPUSCHにより占用されるRBを確定する。
【０１０６】
このステップでは、図１７（a）のサブ帯域１におけるPUSCHにより占用されるRBを確定しようとする。
【０１０７】
ステップ５０３：確定したPUSCHにより占用されるRBから、隣接セルの前記PUCCHにより占用されるRBと重ならないRBを選択する。
【０１０８】
図１７（a）におけるサブ帯域１を例とすると、サブ帯域１のPUSCHにより占用されるRBから、サブ帯域３およびサブ帯域４のPUCCHと直交するRB、つまり図１７（a）における表記したサブ帯域１の一部の帯域を選択する必要がある。
【０１０９】
ステップ５０４：選択したRBを利用して、当該セルのPUSCHを搭載する。
【０１１０】
セルAは、サブ帯域１のPUSCHで情報伝送を行う場合、選択したRBを優先に利用してセルAのPUSCHを搭載して、サブ帯域１のPUSCHとサブ帯域３、サブ帯域５と同時に情報伝送を行うことを確保すると、サブ帯域１のPUSCHからサブ帯域３およびサブ帯域５のPUCCHに対する同一チャネル干渉が小さい。
【０１１１】
図１８に示すように、隣接セルのPUCCHとPUSCHとの間の同一チャネル干渉の第２の低減方法は下記のステップを含む。
【０１１２】
ステップ６０１：サブ帯域を割り当てられたセルのいずれかについて、当該セルの隣接セルに割り当てられたサブ帯域から、隣接セルのPUCCHにより占用されるRBを確定する。
【０１１３】
このステップはステップ５０１と同じである。
【０１１４】
ステップ６０２：当該セルに割り当てられたサブ帯域から、隣接セルのPUCCHにより占用されるRBと重なっているRBを確定する。
【０１１５】
図１７（ｂ）（図１７（ｂ）におけるサブ帯域の分割および割り当て方式は図１７（a）と同じ）を例とすると、このステップでは、サブ帯域１における、サブ帯域３およびサブ帯域５のPUCCHにより占用されるRBと重なっているRB、つまり図１７（ｂ）における表記した部分を確定する。
【０１１６】
ステップ６０３：確定した重なるRBのスケジュール優先レベル或いは送信電力を低減する。
【０１１７】
このステップでは、確定したサブ帯域１における重なるRBがチャネル伝送情報を搭載すると、サブ帯域３、サブ帯域５におけるPUCCHとの同一チャネル干渉が生じることになるため、この同一チャネル干渉を低減するために、確定したサブ帯域１における前記の重なるRBのスケジュール優先レベルを、サブ帯域１の他のRBのスケジュール優先レベルよりも小さく低減し、或いは、確定したサブ帯域１における前記の重なるRBの送信電力を、サブ帯域１の他のRBの送信電力よりも低く低減する。極端な場合、確定したサブ帯域１における前記の重なるRBの送信電力を、情報伝送に使わないように０に調整する。
【０１１８】
ステップ６０４：優先レベル或いは送信電力を調整したサブ帯域で、情報の伝送を行う。
【０１１９】
セルAは、サブ帯域１のPDSCHで情報伝送を行う場合、サブ帯域１のPUSCHからサブ帯域３およびサブ帯域５のPUCCHに対する同一チャネル干渉が小さくなるように、サブ帯域３およびサブ帯域５のPUCCHと直交するRBを優先に利用する。
【０１２０】
いずれかのセルについて、図１７（a）および図１７（ｂ）には、帯域を連続に割り当てる方法であるが、本発明の実施例４を、図１７（ｃ）に示す帯域を連続しなくて割り当てる方法に適用することもできる。
【０１２１】
実施例５
前記の実施例３は下りチャンネルの間の干渉を低減する最適化方法であり、実施例４は上りチャンネルの間の干渉を低減する最適化方法である。この実施例５は、上りチャンネルおよび下りチャンネルに同時に適用できる干渉低減方法も提供する。
【０１２２】
図１９に示すように、この実施例５における隣接セルの間の同一チャネル干渉の低減方法は下記のステップを含む。
【０１２３】
ステップ７０１：サブ帯域を割り当てられたセルのいずれかについて、他の隣接セルからのオーバーロードインジケータ（overload indicator, OI）情報を受信する。
【０１２４】
各RBのOI情報は当該RBに与えられた干渉の大きさ、例えば高、中、低を示す２ビットを有する。セル毎について占用されるサブ帯域の各RBのOI情報を確定した後に、隣接する１つ或いは複数のセルに送信する。
【０１２５】
ステップ７０２：隣接セルに割り当てられたサブ帯域における、与えられた干渉が所定条件を満たすRBを確定する。
【０１２６】
セルAがセルBからのOI情報を受信したとする。図２０に示すように、このOI情報には、セルBにより占用されるサブ帯域における１０個のRBに与えられた干渉の大きさが含まれている。前記所定条件は、RBに与える干渉が大きい場合、このステップでは、セルAは受信されたOI情報に基づいて、RB_B2、RB_B3に与える干渉が大きいと確定できる。
【０１２７】
ステップ７０３：当該セルに割り当てられたサブ帯域から、与えられた干渉が所定条件を満たすRBと重なっているRBを確定する。
【０１２８】
セルAは、自分が占用しているサブ帯域を照合することにより、RB_B2、RB_B3と重なっているRBをRB_A4、RB_A5と確定する。
【０１２９】
ステップ７０４：重なっていると確定したRBのスケジュール優先レベル或いは送信電力を低減する。
【０１３０】
このステップでは、セルAのサブ帯域がセルBの与えられた干渉の大きいRBと重なると、セルAとセルBとの間の同一チャネル干渉がさらに大きくなる。このため、セルAのサブ帯域における重なっているRBのスケジュール優先レベルをこのセルに割り当てられたサブ帯域における他のRBのスケジュール優先レベルよりも小さく低減し、或いは、確定した前記の重なるRBの送信電力を、このセルに割り当てられたサブ帯域における他のRBの送信電力よりも低く低減する。
【０１３１】
ステップ７０５：優先レベル或いは送信電力を調整した後のサブ帯域を利用して情報の伝送を行う。
【０１３２】
説明することは、本発明の実施例３、４、５に係るRBには、１４個のOFDM符号が含まれており、いずれかの同一チャネル干渉の低減方法でも、各ステップで確定したRBが完全なRBでなく、１４より少ない数のOFDM符号を含む部分RBである可能性がある。このため、確定したRBが１４より少ない数のOFDM符号の部分RBである場合、確定した部分RBの残るOFDM符号を補充することにより、完全なRBを取得することができる。
【０１３３】
例えば、ステップ４０２では、サブ帯域１における、サブ帯域３およびサブ帯域５のPBCH/SSにより占用されるRBと重なっていると確定したRBのうち、あるRBにおける１０個のOFDM符号とサブ帯域３およびサブ帯域５のPBCH/SSにより占用されるRBとが重なり、残る４つのOFDM符号とサブ帯域３およびサブ帯域５のPBCH/SSにより占用されるRBとが重ならない。RBがチャネル伝送における最小の単位となるため、重ならない４つのOFDM符号および重なっている１０個のOFDM符号を、一緒にサブ帯域３およびサブ帯域５のPBCH/SSにより占用されるRBと重なっているRBとしてもよい。
【０１３４】
実施例６
本発明の実施例６は、周波数再利用ネットワーキング機器を提供し、図２１に示すように、この機器は、システムの合計の利用できる帯域を複数のサブ帯域に分割する分割モジュール１１と、分割した前記サブ帯域を各セルに割り当てる割り当てモジュール１２とを含む。ただし、少なくとも２つのセルの割り当てられたサブ帯域には重なる部分が含まれる。
【０１３５】
前記割り当てモジュール１２は具体的に、１つのサブ帯域を各セルに割り当てるか、或いは複数のサブ帯域を少なくとも１つのセルに割り当てる。同一のセルに割り当てられた複数のサブ帯域は、２つ毎に重ならない。
【０１３６】
具体的には、前記割り当てモジュール１２は、いずれか２つのサブ帯域の合計の帯域幅に対する前記２つのサブ帯域における重なる部分の帯域幅の比例が大きいほど、前記２つのサブ帯域の相関性が大きくなるように、各サブ帯域間の相関性を確定するための相関性確定サブモジュール２１と、２つのセル間の物理的距離が近いほど、前記２つのセルに割り当てられたサブ帯域間の相関性が小さくなるように、各サブ帯域間の相関性に基づいて、分割したサブ帯域を各セルに割り当てる実行サブモジュール２２を含む。
【０１３７】
前記機器は、占用されるサブ帯域が重なっている隣接セルに対して、隣接セルの負荷を確定する負荷確定モジュール１３と、前記隣接セルの負荷がすべて負荷閾値よりも小さい場合、重ならない部分の帯域を利用して業務をスケジュールするよう前記隣接セルに指示し、いずれかのセルの負荷も負荷閾値よりも低くない場合、割り当てられたサブ帯域における重ならない部分の帯域を利用して業務をスケジュールする優先レベルが、重なる部分の帯域を利用して業務をスケジュールする優先レベルよりも高いようにするよう当該セルに指示するスケジュールモジュール１４とを含む。
【０１３８】
本実施例６における機器は、図２１に示す構成の他、実施例３ないし実施例５を実現する機能モジュールをさらに含む。以下、それぞれに説明する。
【０１３９】
１、実施例４における、図１６に示す隣接セルのPUCCHとPUSCHとの間の同一チャネル干渉の第１の低減方法に対して、本実施例６における機器は、
【０１４０】
サブ帯域を割り当てられたセルのいずれかについて、当該セルの隣接セルに割り当てられたサブ帯域から、隣接セルのPUCCHにより占用されるRBを確定する隣接セルRB確定モジュールと、
【０１４１】
このセルに割り当てられたサブ帯域から、物理上り共有チャンネルPUSCHにより占用されるRBを確定し、PUSCHにより占用されるRBから、前記PUCCHにより占用されるRBと重ならないRBを選択するRB選択モジュールと、
【０１４２】
選択したRBを利用してPUSCHを搭載するようにこのセルに指示する指示モジュールとを含む。
【０１４３】
２、実施例４における図１８に示す隣接セルのPUCCHとPUSCHとの間の同一チャネル干渉の第２低減方法に対して、本実施例６の機器は、
【０１４４】
サブ帯域を割り当てられたセルのいずれかについて、当該セルの隣接セルに割り当てられたサブ帯域から、隣接セルのPUCCHにより占用されるRBを確定する隣接セルRB確定モジュールと、
【０１４５】
当該セルに割り当てられたサブ帯域から、隣接セルのPUCCHにより占用されるRBと重なっているRBを確定するRB選択モジュールと、
【０１４６】
確定した前記の重なるRBのスケジュール優先レベルを、当該セルに割り当てられたサブ帯域における他のRBのスケジュール優先レベルよりも小さく低減し、或いは、確定した前記の重なるRBの送信電力を、当該セルに割り当てられたサブ帯域における他のRBの送信電力よりも低く低減する調整モジュールとを含む。
【０１４７】
前記の１，２に記載の隣接セルRB確定モジュールは具体的に、隣接セルの中心周波数および隣接セルに割り当てられたサブ帯域の帯域幅に基づいて、隣接セルに割り当てられたサブ帯域の両端にあるRBを確定し、隣接セルに割り当てられたサブ帯域の両端におけるM/２個のRBを隣接セルのPUCCHにより占用されるRBとして設定する。前記Mは隣接セルのPUCCHにより占用されるRBの数である。
【０１４８】
３．実施例５における図１９に示す隣接セル間の同一チャネル干渉の低減方法に対して、本実施例６の機器は、
【０１４９】
サブ帯域を割り当てられたセルのいずれかについて、隣接セル間に送信される、隣接セルに割り当てられたサブ帯域における各RBに与えられた干渉の大きさを示すオーバーロードインジケータOI情報を受信する情報受信モジュールと、
【０１５０】
隣接セルに割り当てられたサブ帯域における、与えられた干渉が所定条件を満たすRBを確定する隣接セルRB確定モジュールと、
【０１５１】
当該セルに割り当てられたサブ帯域から、与えられた干渉が所定条件を満たすRBと重なっているRBを確定するRB選択モジュールと、
【０１５２】
確定した前記の重なるRBのスケジュール優先レベルをこのセルに割り当てられたサブ帯域における他のRBのスケジュール優先レベルよりも小さく低減し、或いは、確定した前記の重なるRBの送信電力を、このセルに割り当てられたサブ帯域における他のRBの送信電力よりも低く低減する調整モジュールとを含む。
【０１５３】
４．実施例３における図１３に示す隣接セルのPBCH/SSとPDSCHとの間の同一チャネル干渉の第１の低減方法に対して、実施例６の機器は、
【０１５４】
サブ帯域を割り当てられたセルのいずれかについて、当該セルの隣接セルに割り当てられたサブ帯域から、隣接セルの特定の下りチャンネルにより占用されるRBを確定する隣接セルRB確定モジュールと、
【０１５５】
当該セルに割り当てられたサブ帯域から、PDSCHにより占用されるRBを確定し、PDSCHにより占用されるRBから、前記特定の下りチャンネルにより占用されるRBと重ならないRBを選択するRB選択モジュールと、
【０１５６】
選択したRBを利用してPDSCHを搭載するように、このセルに指示する指示モジュールとを含む。
【０１５７】
５．実施例３における図１５に示す隣接セルのPBCH/SSとPDSCHとの間の同一チャネル干渉の第２の低減方法に対して、実施例６の機器は、
【０１５８】
サブ帯域を割り当てられたセルのいずれかについて、当該セルの隣接セルに割り当てられたサブ帯域から、隣接セルの特定の下りチャンネルにより占用されるRBを確定する隣接セルRB確定モジュールと、
【０１５９】
当該セルに割り当てられたサブ帯域から、隣接セルの特定の下りチャンネルにより占用されるRBと重なるRBを確定するRB選択モジュールと、
【０１６０】
確定した前記の重なるRBのスケジュール優先レベルを、このセルに割り当てられたサブ帯域における他のRBのスケジュール優先レベルよりも小さく低減し、或いは、確定した前記の重なるRBの送信電力を、このセルに割り当てられたサブ帯域における他のRBの送信電力よりも低く低減する調整モジュールとを含む。
【０１６１】
前記４，５における隣接セルRB確定モジュールは、具体的に、隣接セルの中心周波数および隣接セルに割り当てられたサブ帯域の帯域幅に基づいて、隣接セルに割り当てられたサブ帯域の中心にある所定長さの帯域により占用されるRBを隣接セルの特定の下りチャンネルにより占用されるRBと設定し、ただし、前記所定長さの帯域は１．０８MHｚの帯域であってもよい。
【０１６２】
以上の実施例の記述により、当業者は、ソフトウェアと必要なハードウェアとの組み合わせにより、本発明を実現することができる。ハードウェアでもよいが、前者の方で実現する実施形態が多いことが明らかである。これにより、本発明は、本質上、つまり従来技術に対する改良というと、ソフトウェア制品として実現され、このコンピュータソフトウェア制品が記憶媒体に記憶されており、端末機器（携帯電話や、パソコン、サーバ、ネットワーク機器など）に本発明の実施例に記載の方法を実行させるいくつかの指令を含む。
【０１６３】
以上、本発明の実施形態を説明したが、当業者は、本発明の範囲を超えないで、いくつかの改良および修正を行うことができ、これらの改良および補正も本発明に含まれている。
【０１６４】
本出願は、2010年2月３日に出願した中国特許出願第2010191140215号に基づく優先権および2010年８月３１日に出願した中国特許出願第2010102687231号に基づく優先権を主張するものであり、それらの中国特許出願の全内容を本出願に援用する。
【図１】
0005536235.tif 000002
【図２】
0005536235.tif 000003
【図３】
0005536235.tif 000004
【図４】
0005536235.tif 000005
【図５】
0005536235.tif 000006
【図６】
0005536235.tif 000007
【図７】
0005536235.tif 000008
【図８】
0005536235.tif 000009
【図９（ａ）】
0005536235.tif 000010
【図９（ｂ）】
0005536235.tif 000011
【図１０】
0005536235.tif 000012
【図１１】
0005536235.tif 000013
【図１２】
0005536235.tif 000014
【図１３】
0005536235.tif 000015
【図１４（ａ）】
0005536235.tif 000016
【図１４（ｂ）】
0005536235.tif 000017
【図１４（ｃ）】
0005536235.tif 000018
【図１５】
0005536235.tif 000019
【図１６】
0005536235.tif 000020
【図１７（ａ）】
0005536235.tif 000021
【図１７（ｂ）】
0005536235.tif 000022
【図１７（ｃ）】
0005536235.tif 000023
【図１８】
0005536235.tif 000024
【図１９】
0005536235.tif 000025
【図２０】
0005536235.tif 000026
【図２１】
0005536235.tif 000027